(57)【要約】【課題】ユーザーの利便性を向上させることが可能な表示入力装置を提供する。【解決手段】表示入力装置は、表示部８２とタッチパネル部８３とを備える。タッチパネル部８３は、ソフトウェアボタンが配されていない所定領域９２において、数値増加操作、数値減少操作および増減停止操作を受け付ける。表示部８２は、タッチパネル部８３が数値増加操作を受け付けると、数値を所定時間間隔で所定値ずつ増加させる第１表示モードでの表示を実行する一方、数値減少操作を受け付けると、数値を所定時間間隔で所定値ずつ減少させる第２表示モードでの表示を実行する。また、表示部８２は、タッチパネル部８３が増減停止操作を受け付けると、数値の増減を停止する。【選択図】図５
2015103132.tif 000002
【特許請求の範囲】
【請求項１】
数値の入力を受け付けるための数値入力画面を表示するとともに、前記数値入力画面内に数値を表示する表示部と、
前記表示部に対して設けられ、前記表示部の画面に対するタッチ操作を受け付けるタッチパネル部と、を備え、
前記タッチパネル部は、前記数値入力画面内のソフトウェアボタンが配されていない所定領域において、予め定められたタッチ操作である数値増加操作、数値減少操作および増減停止操作の受け付けを行い、
前記表示部は、前記タッチパネル部が前記数値増加操作を受け付けると、前記数値を所定時間間隔で所定値ずつ増加させる第１表示モードでの表示を実行する一方、前記タッチパネル部が前記数値減少操作を受け付けると、前記数値を前記所定時間間隔で前記所定値ずつ減少させる第２表示モードでの表示を実行し、
前記表示部は、前記第１表示モードまたは前記第２表示モードで表示を行う数値増減モードの実行中に、前記タッチパネル部が前記増減停止操作を受け付けると、前記数値の増減を停止し、前記数値増減モードを終了することを特徴とする表示入力装置。
【請求項２】
前記タッチパネル部は、前記所定領域において、予め定められたタッチ操作である間隔短縮操作の受け付けを行い、
前記表示部は、前記数値増減モードの実行中に、前記タッチパネル部が前記間隔短縮操作を受け付けると、前記数値を増減させるときの時間間隔を現時点の時間間隔より短くすることを特徴とする請求項１に記載の表示入力装置。
【請求項３】
前記タッチパネル部は、前記第１表示モードの実行中に前記数値増加操作が行われると、前記数値増加操作を前記間隔短縮操作として受け付け、前記第２表示モードの実行中に前記数値減少操作が行われると、前記数値減少操作を前記間隔短縮操作として受け付けることを特徴とする請求項２に記載の表示入力装置。
【請求項４】
前記タッチパネル部は、前記所定領域において、予め定められたタッチ操作である間隔延長操作の受け付けを行い、
前記表示部は、前記数値増減モードの実行中に、前記タッチパネル部が前記間隔延長操作を受け付けると、前記数値を増減させるときの時間間隔を現時点の時間間隔より長くすることを特徴とする請求項１〜３のいずれか１項に記載の表示入力装置。
【請求項５】
前記タッチパネル部は、前記数値増減モードの実行中に前記増減停止操作が行われたとき、前記数値を増減させるときの時間間隔が短縮されていれば、前記増減停止操作を前記間隔延長操作として受け付けることを特徴とする請求項４に記載の表示入力装置。
【請求項６】
前記表示部は、前記数値入力画面内に、前記数値を増加させるためのソフトウェアボタンである数値増加ボタンおよび前記数値を減少させるためのソフトウェアボタンである数値減少ボタンを配し、
前記数値増加ボタンには、前記数値を増加させるためのボタンであることを示す第１記号が付されているとともに、前記数値減少ボタンには、前記数値を減少させるためのボタンであることを示す第２記号が付されており、
前記タッチパネル部は、前記所定領域において前記第１記号を描くようにタッチ位置を移動させるタッチ操作を前記数値増加操作として受け付け、前記所定領域において前記第２記号を描くようにタッチ位置を移動させるタッチ操作を前記数値減少操作として受け付けることを特徴とする請求項１〜５のいずれか１項に記載の表示入力装置。
【請求項７】
前記タッチパネル部は、前記所定領域においてプラス記号を描くようにタッチ位置を移動させるタッチ操作を前記数値増加操作として受け付け、前記所定領域においてマイナス記号を描くようにタッチ位置を移動させるタッチ操作を前記数値減少操作として受け付けることを特徴とする請求項１〜６のいずれか１項に記載の表示入力装置。
【請求項８】
請求項１〜７のいずれか１項に記載の表示入力装置を備えた画像形成装置。
【発明の詳細な説明】
【技術分野】
【０００１】
本発明は、表示入力装置およびそれを備えた画像形成装置に関する。
【背景技術】
【０００２】
従来、表示入力装置として、複合機などの画像形成装置に設置されるタッチパネル付きの表示装置が知られており、たとえば、操作パネルなどと称されている。このような操作パネルは、画像形成装置の動作に関する各種設定項目の設定値を設定変更するための操作を受け付ける（たとえば、特許文献１参照）。
【０００３】
画像形成装置の動作に関する設定項目には、設定値の設定変更に際して数値入力が必要なものがある。一例を挙げると、コピー部数やコピー倍率を設定変更するときに数値入力が必要となる。そこで、特許文献１では、数値入力を受け付けるとき、ソフトウェアボタンとしてのテンキーを操作パネルに表示させる。これにより、テンキー（ソフトウェアボタン）を操作することにより、所望の数値を入力することができる。
【先行技術文献】
【特許文献】
【０００４】
【特許文献１】特開２０１１−１９８１６５号公報
【発明の概要】
【発明が解決しようとする課題】
【０００５】
テンキーを表示して数値入力の受け付けを行う操作パネルでは、たとえば、「０」〜「９」の数値ボタンのうちいずれかに対してタップ操作（タッチパネルのタッチ面を叩くようなタッチ操作）を行うと、タップした数値ボタンに対応する数値が入力される。
【０００６】
また、別の例として、数値入力を受け付けるときに、プラスボタンおよびマイナスボタンを含む数値増減ボタンを表示する操作パネルもある。たとえば、プラスボタンに対してタップ操作を１回行うと、数値が「１」だけ増加し、マイナスボタンに対してタップ操作を１回行うと、数値が「１」だけ減少する
【０００７】
ここで、操作パネルは、数値入力を受け付けるとき、数値入力画面を表示し、その数値入力画面内にテンキーや数値増減ボタンを配置する。そして、通常では、数値入力画面内に、数値を表示するための数値表示欄や各種メッセージなども配置される。このため、数値入力画面内において、テンキーや数値増減ボタンの配置スペースを大きくとることはできない。したがって、テンキーや数値増減ボタンに対するタップ操作により数値入力を行う構成では、数値入力画面内の小さい領域を選択的にタップする必要があるので、ユーザーにとっては利便性が悪い（操作しにくい）。
【０００８】
本発明は、上記課題を解決するためになされたものであり、ソフトウェアボタンに対する操作を行わなくても数値を入力できるようにすることによってユーザーの利便性を向上させることが可能な表示入力装置およびそれを備えた画像形成装置を提供することを目的とする。
【課題を解決するための手段】
【０００９】
上記目的を達成するために、本発明の表示入力装置は、数値の入力を受け付けるための数値入力画面を表示するとともに、その数値入力画面内に数値を表示する表示部と、表示部に対して設けられ、表示部の画面に対するタッチ操作を受け付けるタッチパネル部と、を備える。そして、タッチパネル部は、数値入力画面内のソフトウェアボタンが配されていない所定領域において、予め定められたタッチ操作である数値増加操作、数値減少操作および増減停止操作の受け付けを行う。表示部は、タッチパネル部が数値増加操作を受け付けると、数値を所定時間間隔で所定値ずつ増加させる第１表示モードでの表示を実行する一方、タッチパネル部が数値減少操作を受け付けると、数値を所定時間間隔で所定値ずつ減少させる第２表示モードでの表示を実行する。また、表示部は、第１表示モードまたは第２表示モードで表示を行う数値増減モードの実行中に、タッチパネル部が増減停止操作を受け付けると、数値の増減を停止し、数値増減モードを終了する。
【００１０】
本発明の構成では、数値増加操作を行うことにより、数値入力画面内の数値が所定時間間隔で所定値ずつ増加し、数値減少操作を行うことにより、数値入力画面内の数値が所定時間間隔で所定値ずつ減少する。また、増減停止操作を行うことにより、数値入力画面内の数値の増減が停止する。ここで、数値増加操作、数値減少操作および増減停止操作は、数値入力画面内のソフトウェアボタンが配されていない所定領域で受け付けられるタッチ操作である。すなわち、数値増加操作、数値減少操作および増減停止操作は、ソフトウェアボタンに対する操作（たとえば、数値を増減させるための数値増減ボタンに対する操作）ではない。したがって、この構成では、ソフトウェアボタンに対する操作を行わなくても、数値入力画面での数値入力が可能となる。これにより、ユーザーからすると、所望の数値を入力するときに、ソフトウェアボタンに対する操作が不要となるので、利便性が良い。特に、体の不自由なユーザー（細かい操作が困難なユーザー）の利便性が向上する。
【発明の効果】
【００１１】
本発明では、ソフトウェアボタンに対する操作を行わなくても数値を入力できるので、ユーザーの利便性が向上する。
【図面の簡単な説明】
【００１２】
【図１】本発明の一実施形態による操作パネルを備える複合機の一例を示した概略図
【図２】本発明の一実施形態による操作パネルの一例を示した平面図
【図３】本発明の一実施形態による操作パネルを備える複合機のハードウェア構成の一例を示したブロック図
【図４】本発明の一実施形態による操作パネルに表示される数値入力画面の一例を示した図
【図５】本発明の一実施形態による操作パネルに対して行われる数値増加操作を説明するための図
【図６】本発明の一実施形態による操作パネルに対して行われる数値減少操作を説明するための図
【図７】本発明の一実施形態による操作パネルに対して数値増加操作が行われてから増減停止操作が行われた場合の図
【図８】本発明の一実施形態による操作パネルに対して数値減少操作が行われてから増減停止操作が行われた場合の図
【図９】本発明の一実施形態による操作パネルに対して行われる数値増加操作が間隔短縮操作とされる場合の図
【図１０】本発明の一実施形態による操作パネルに対して行われる数値減少操作が間隔短縮操作とされる場合の図
【図１１】本発明の一実施形態による操作パネルに対して行われる増減停止操作が間隔延長操作とされる場合の図
【図１２】本発明の一実施形態による操作パネルにおいて数値入力を受け付けるときの制御の流れを説明するためのフローチャート図
【図１３】本発明の一実施形態による操作パネルにおいて第１表示モードの実行時の制御の流れを説明するためのフローチャート図
【図１４】本発明の一実施形態による操作パネルにおいて第２表示モードの実行時の制御の流れを説明するためのフローチャート図
【発明を実施するための形態】
【００１３】
本発明の一実施形態について、コピージョブ、プリントジョブおよび送信ジョブなど複数種のジョブの実行が可能な複合機を例にとって説明する。
【００１４】
＜複合機の全体構成＞
図１に示すように、複合機１００（本発明の「画像形成装置」に相当）は、画像読取部１および印刷部２を備える。画像読取部１は、原稿を読み取って画像データを生成する。印刷部２は、画像データに基づく画像を用紙Ｐに印刷して出力する。たとえば、印刷部２は、画像読取部１による原稿の読み取りによって得られた画像データに基づく画像を用紙Ｐに印刷して出力する（コピージョブ）。あるいは、印刷部２は、外部機器から送信される画像データに基づく画像を用紙Ｐに印刷して出力する（プリントジョブ）。
【００１５】
印刷部２は、給紙部３、用紙搬送部４、画像形成部５および定着部６で構成される。給紙部３は、ピックアップローラー３１および給紙ローラー対３２を含み、用紙カセット３３に収容された用紙Ｐを用紙搬送路２０に供給する。用紙搬送部４は、複数の搬送ローラー対４１を含み、用紙搬送路２０に沿って用紙Ｐを搬送し、印刷済みの用紙Ｐを排出トレイ４２に排出する。
【００１６】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成し、そのトナー像を用紙Ｐに転写する。定着部６は、加熱ローラー６１および加圧ローラー６２を含み、用紙Ｐに転写されたトナー像を加熱および加圧して定着させる。
【００１７】
また、複合機１００は、図２に示すような操作パネル８を備える。操作パネル８は、複合機１００の正面側（たとえば、図１の破線で示された箇所）に配置される。なお、操作パネル８は、本発明の「表示入力装置」に相当する。
【００１８】
操作パネル８には、操作表示部８１が設けられる。操作表示部８１は、表示部８２およびタッチパネル部８３を含む。表示部８２は、液晶表示パネルや有機ＥＬ表示パネルなどの表示パネルである。タッチパネル部８３は、２点のタッチ位置を同時に検知可能なマルチタッチパネルであり、表示部８２の表示面を覆うように配置される。そして、操作表示部８１は、各種設定を受け付けるためのソフトウェアボタンやメッセージなどを表示部８２に表示し、タッチパネル部８３を介して各種設定を受け付ける。なお、操作パネル８には、スタートキー、ストップキー、リセットキーおよびテンキーなど種々のハードキー８４も設けられる。
【００１９】
＜複合機のハードウェア構成＞
図３に示すように、複合機１００は、主制御部１１０を備える。主制御部１１０は、メインＣＰＵ１１１、画像処理部１１２および記憶部１１３を含む。画像処理部１１２は、画像処理専用のＡＳＩＣなどからなり、画像データに対して画像処理（拡大／縮小、濃度変換およびデータ形式変換など）を施す。記憶部１１３は、ＲＯＭおよびＲＡＭなどからなり、制御用のプログラムおよびデータを記憶する。そして、主制御部１１０は、記憶部１１３に記憶されたプログラムおよびデータに基づき、複合機１００の各部の動作を制御する。
【００２０】
具体的には、主制御部１１０は、画像読取部１および印刷部２（給紙部３、用紙搬送部４、画像形成部５および定着部６）と接続される。そして、主制御部１１０は、画像読取部１の読取動作を制御するとともに、印刷部２の印刷動作を制御する。
【００２１】
また、主制御部１１０は、パネル制御部１２０と接続される。パネル制御部１２０は、ＣＰＵ１２１および記憶部１２２を含み、主制御部１１０から指示を受け、操作パネル８の表示動作を制御したり、操作パネル８に対して行われた操作を検知したりする。たとえば、パネル制御部１２０は、表示部８２にソフトウェアボタンを表示させ、そのソフトウェアボタンに対してタッチ操作（たとえば、タッチパネル部８３のタッチ面をタップする操作）が行われると、タッチパネル部８３の出力に基づきタッチ操作を受けたソフトウェアボタンを検知する。また、パネル制御部１２０は、ハードキー８４を押下する押下操作が行われると、ハードキー８４の押下によりオンオフが切り替わるスイッチの出力に基づき押下操作を受けたハードキー８４を検知する。
【００２２】
また、主制御部１１０は、通信部１３０と接続される。通信部１３０は、コンピューター２００やファクシミリ３００などの外部機器と通信可能に接続される。そして、通信部１３０は、主制御部１１０から指示を受け、外部機器との間で通信を行う。たとえば、通信部１３０は、画像読取部１の読み取りによって得られた画像データを外部機器に送信する（送信ジョブ）。
【００２３】
＜数値入力画面での数値入力＞
（数値増減ボタンを用いた数値入力）
操作パネル８は、必要に応じて、ユーザーから数値入力を受け付ける。たとえば、コピー倍率を任意の倍率（定形倍率以外の倍率）に設定するときや、原稿読取サイズを任意のサイズ（定型サイズ以外のサイズ）に設定するときには、コピー倍率や原稿読取サイズを数値入力する必要がある。また、外部機器から送信される画像データの最大保持件数を設定するときには、最大保持件数を数値入力する必要がある。また、アドレス帳に登録する宛先に割り当てる識別番号を設定するときには、識別番号を数値入力する必要がる。さらに、複合機１００に省電力モード（スリープモード）が搭載される場合には、省電力モードが働くまでの時間を設定するときに数値入力が必要となる。なお、ここで述べた数値入力の必要な設定項目は一例であり、数値入力の必要な設定項目は他にも多数ある。
【００２４】
数値入力を受け付けるとき、パネル制御部１２０は、図４に示すような数値入力画面９０を表示部８２に表示させる。そして、パネル制御部１２０は、数値入力の受け付けをタッチパネル部８３に行わせる。なお、図４に示す数値入力画面９０は一例であり、画面のレイアウトなどは変更可能である。
【００２５】
数値入力画面９０には、ユーザーが入力した数値を表示するための数値表示領域９１が配される。ただし、ユーザーによる数値入力が行われる前の段階では、予め定められた数値（たとえば、従前に入力された数値、数値入力範囲の最小値、数値入力範囲の最大値、および、デフォルト値など）が数値表示領域９１に表示される。以下、数値入力画面９０内の数値表示領域９１に表示される数値を表示数値と称する。
【００２６】
また、数値入力画面９０には、数値増加ボタンＢ１および数値減少ボタンＢ２を含む数値増減ボタンＮＢが配される。数値増加ボタンＢ１には、表示数値を増加させるためのボタンであることを示すプラス記号「＋」が付され、数値減少ボタンＢ２には、表示数値を減少させるためのボタンであることを示すマイナス記号「−」が付される。この数値増減ボタンＮＢ（数値増加ボタンＢ１および数値減少ボタンＢ２）は、本発明の「ソフトウェアボタン」に相当する。また、数値増加ボタンＢ１に付されるプラス記号および数値減少ボタンＢ２に付されるマイナス記号は、それぞれ、本発明の「第１記号」および「第２記号」に相当する。なお、数値増減ボタンＮＢに付す記号の種類は特に限定されず、プラス記号およびマイナス記号とは異なる記号を数値増減ボタンＮＢに付してもよい。
【００２７】
そして、パネル制御部１２０は、タッチパネル部８３の出力に基づき数値増減ボタンＮＢに対するタップ操作（タッチパネル部８３のタッチ面を叩くようなタッチ操作）を検知し、表示数値を増減させる。具体的には、パネル制御部１２０は、数値増加ボタンＢ１に対してタップ操作が１回行われると、現時点の表示数値に「１」を加算した数値を新たな表示数値として表示部８２に表示させる（図４に示す例では、表示数値が「３１」となる）。また、パネル制御部１２０は、数値減少ボタンＢ２に対してタップ操作が１回行われると、現時点の表示数値から「１」を減算した数値を新たな表示数値として表示部８２に表示させる。（図４に示す例では、表示数値が「２９」となる）。
【００２８】
（数値増減ボタンを用いない数値入力）
パネル制御部１２０は、表示部８２が数値入力画面９０を表示しているとき、予め定められたタッチ操作である数値増加操作がタッチパネル部８３に対して行われたか否か、あるいは、予め定められたタッチ操作である数値減少操作がタッチパネル部８３に対して行われたか否か、を判断する。タッチパネル部８３は、たとえば、図５に示すように、プラス記号（数値増加ボタンＢ１に付された記号と同じ記号）を描くようにタッチ位置を移動させるタッチ操作を数値増加操作として受け付ける。また、タッチパネル部８３は、たとえば、図６に示すように、マイナス記号（数値減少ボタンＢ２に付された記号と同じ記号）を描くようにタッチ位置を移動させるタッチ操作を数値減少操作として受け付ける。図５および図６では、タッチ位置の移動軌跡を白抜き矢印で示す（後の説明で参照する図面についても同様）。
【００２９】
なお、数値増加操作として定めるタッチ操作および数値減少操作として定めるタッチ操作は特に限定されない。たとえば、装置正面側から見て、タッチ位置を横方向に移動させるタッチ操作を数値増加操作と定め、タッチ位置を縦方向に移動させるタッチ操作を数値減少操作と定めてもよい。すなわち、数値増加操作として定めるタッチ操作および数値減少操作として定めるタッチ操作が数値増減ボタンＮＢに付される記号を描くようにタッチ位置を移動させるものでなくてもよい。
【００３０】
ただし、タッチパネル部８３は、数値入力画面９０内の所定領域９２（図５および図６参照）では数値増加操作および数値減少操作を受け付けるが、数値入力画面９０内の所定領域９２以外の領域では数値増加操作および数値減少操作を受け付けない。したがって、仮に、数値入力画面９０内の所定領域９２以外の領域で数値増加操作（数値減少操作）として定められたタッチ操作を行っても、そのタッチ操作は数値増減操作（数値減少操作）として認識されない。
【００３１】
ここで、数値増加操作および数値減少操作の受け付けがなされる数値入力画面９０内の所定領域９２は、数値増減ボタンＮＢなどのソフトウェアボタンが配されない領域である。すなわち、数値増加操作および数値減少操作は、数値増減ボタンＮＢなどのソフトウェアボタンに対するタップ操作ではない。たとえば、特に限定されないが、装置正面側から見て、数値入力画面９０内の一方側（右側）の空白領域（破線で囲まれた領域）が所定領域９２とされる。あるいは、装置正面側から見て、数値入力画面９０内の一方側とは反対の他方側（左側）の空白領域を所定領域９２としてもよいし、数値入力画面９０内の一方側の空白領域および他方側の空白領域の両方を所定領域９２としてもよい。
【００３２】
そして、パネル制御部１２０は、数値増加操作および数値減少操作のうちいずれかがタッチパネル部８３に対して行われると、数値増減モードに移行させる。なお、数値増減モードに移行すると、表示数値が所定時間間隔で所定値ずつ増加する第１表示モード、および、表示数値が所定時間間隔で所定値ずつ減少する第２表示モード、のうちいずれかの表示モードで表示が行われる。
【００３３】
パネル制御部１２０は、タッチパネル部８３に対して数値増加操作が行われたことを検知すると、表示数値を所定時間間隔で所定値ずつ増加させる第１表示モードでの表示を表示部８２に実行させる。具体的には、図７に示すように、表示部８２は、まず、数値増加操作の受付時の表示数値に「１」を加算した数値を新たな表示数値とする（図７に示す例では、新たな表示数値が「３１」となる）。そして、表示部８２は、数値増加操作の受付時の表示数値を新たな表示数値に切り替えてから所定時間（たとえば、数百ミリ秒〜数秒）が経過すると、現時点の表示数値（直前に「１」を加算した数値）に「１」を加算した数値を新たな表示数値とする（図７に示す例では、新たな表示数値が「３２」となる）。これ以降、表示部８２は、後述する増減停止操作がタッチパネル部８３に対して行われるまで、所定時間が経過する毎に、表示数値を「１」ずつ増加させていく。
【００３４】
一方で、パネル制御部１２０は、タッチパネル部８３に対して数値減少操作が行われたことを検知すると、表示数値を所定時間間隔で所定値ずつ減少させる第２表示モードでの表示を表示部８２に実行させる。具体的には、図８に示すように、表示部８２は、まず、数値減少操作の受付時の表示数値から「１」を減算した数値を新たな表示数値とする（図８に示す例では、新たな表示数値が「２９」となる）。そして、表示部８２は、数値減少操作の受付時の表示数値を新たな表示数値に切り替えてから所定時間（表示数値を増加させるときの時間間隔と同じ時間）が経過すると、現時点の表示数値（直前に「１」を減算した数値）から「１」を減算した数値を新たな表示数値とする（図８に示す例では、新たな表示数値が「２８」となる）。これ以降、表示部８２は、後述する増減停止操作がタッチパネル部８３に対して行われるまで、所定時間が経過する毎に、表示数値を「１」ずつ減少させていく。
【００３５】
なお、所定値は「１」に限らず、数値入力画面９０で設定する設定内容によって変更される。すなわち、設定内容によっては、所定値が「１」より大きい値（たとえば「１０」）になる場合もあるし、所定値が「１」より小さい値（たとえば「０．１」）になる場合もある。
【００３６】
また、パネル制御部１２０は、表示部８２が数値増減モードで表示を行っているとき、予め定められたタッチ操作である増減停止操作がタッチパネル部８３に対して行われたか否かを判断する。タッチパネル部８３は、たとえば、数値増減モードの実行中に、数値入力画面９０内の所定領域９２においてタップ操作（タッチパネル部８３のタッチ面を叩くようなタッチ操作）が行われると、そのタップ操作を増減停止操作として受け付ける。
【００３７】
そして、パネル制御部１２０は、表示部８２が数値増減モードで表示を行っているときに、タッチパネル部８３に対して増減停止操作が行われたことを検知すると、数値増減モードを終了させる。このとき、表示部８２は、表示数値の増減を停止する（図７および図８参照）。なお、後で詳細に説明するが、表示数値を増減させるときの時間間隔が短時間間隔に設定変更されている場合には、タッチパネル部８３に対して行われる増減停止操作が間隔延長操作として受け付けられるので、タッチパネル部８３に対して増減停止操作を行っても、数値増減モードは終了しない。
【００３８】
（表示数値を増減させるときの時間間隔の変更）
パネル制御部１２０は、数値増減モードに移行すると、表示数値を増減させるときの時間間隔を比較的長めの長時間間隔（たとえば、数秒間隔）に設定する。すなわち、長時間間隔がデフォルトの時間間隔とされる。しかし、所望の数値（入力したい数値）が現時点の表示数値からかけ離れている場合では、表示数値を増減させるときの時間間隔が長時間間隔に設定されていると、表示数値が所望の数値になるまでに時間がかかりすぎる。
【００３９】
このため、パネル制御部１２０は、表示部８２が数値増減モードで表示を行っているときに、表示数値を増減させるときの時間間隔を短縮するためのタッチ操作として予め定められた間隔短縮操作の受け付けをタッチパネル部８３に行わせ、間隔短縮操作がタッチパネル部８３に対して行われたか否かを判断する。なお、表示数値を増減させるときの時間間隔は、長時間間隔および長時間間隔より短い短時間間隔（たとえば、数百ミリ秒間隔）の２段階に変更可能となっている。
【００４０】
タッチパネル部８３は、第１表示モードの実行中に数値増加操作が再度行われると、その数値増加操作を間隔短縮操作として受け付け、第２表示モードの実行中に数値減少操作が再度行われると、その数値減少操作を間隔短縮操作として受け付ける。ただし、表示数値を増減させるときの時間間隔が既に短時間間隔に設定変更され、その状態で数値増減モードを実行しているときには、数値増加操作（数値減少操作）が行われても、その操作を無効とする。なお、間隔短縮操作として定めるタッチ操作は特に限定されず、数値増加操作（数値減少操作）とは異なるタッチ操作を間隔短縮操作としてもよい。
【００４１】
パネル制御部１２０は、タッチパネル部８３に対して間隔短縮操作が行われたことを検知すると、表示数値を増減させるときの時間間隔を短時間間隔に設定変更する。これにより、表示数値が短時間間隔で所定値ずつ増加または減少していく。なお、表示数値を増減させるときの時間間隔を一気に短時間間隔に変更するのではなく、表示数値を増減させるときの時間間隔を短時間間隔に向けて徐々に短くしてもよい。
【００４２】
具体的には、図９に示すように、タッチパネル部８３に対する数値増加操作を受けて第１表示モードに移行した場合、表示部８２は、表示数値を長時間間隔（デフォルトの時間間隔）で所定値ずつ増加させる。そして、表示部８２が第１表示モードでの表示を開始して以降、タッチパネル部８３に対して数値増加操作が再度行われると、タッチパネル部８３は、再度行われた数値増加操作を間隔短縮操作として受け付ける。すなわち、表示部８２は、表示数値を短時間間隔で所定値ずつ増加させていく。
【００４３】
また、図１０に示すように、タッチパネル部８３に対する数値減少操作を受けて第２表示モードに移行した場合、表示部８２は、表示数値を長時間間隔で所定値ずつ減少させる。そして、表示部８２が第２表示モードでの表示を開始して以降、タッチパネル部８３に対して数値減少操作が再度行われると、タッチパネル部８３は、再度行われた数値減少操作を間隔短縮操作として受け付ける。すなわち、表示部８２は、表示数値を短時間間隔で所定値ずつ減少させていく。
【００４４】
また、パネル制御部１２０は、表示部８２が数値増減モードで表示を行っているとき、予め定められたタッチ操作である間隔延長操作がタッチパネル部８３に対して行われたか否かを判断する。たとえば、タッチパネル部８３は、数値増減モードの実行中に増減停止操作が行われたとき、表示数値を増減させるときの時間間隔が短縮されていれば（増減停止操作が行われる前に間隔短縮操作を受け付けていれば）、増減停止操作を間隔延長操作として受け付ける。なお、間隔延長操作として定めるタッチ操作は特に限定されず、増減停止操作とは異なるタッチ操作を間隔延長操作としてもよい。
【００４５】
パネル制御部１２０は、タッチパネル部８３に対して間隔延長操作が行われたことを検知すると、表示数値を増減させるときの時間間隔を長時間間隔に設定する。そして、表示部８２は、表示数値を長時間間隔で所定値ずつ増加または減少させていく。
【００４６】
具体的には、図１１に示すように、表示数値を増減させるときの時間間隔が短時間間隔に設定変更され、その状態での数値増減モードの実行中に増減停止操作が行われた場合、タッチパネル部８３は、増減停止操作を間隔延長操作として受け付ける。したがって、表示部８２は、数値増減モードでの表示を終了せず、表示数値を増減させるときの時間間隔を長時間間隔に戻し、数値増減モードでの表示を続行する。その後、増減停止操作が再度行われると、表示部８２は、数値増減モードでの表示を終了する。
【００４７】
（数値入力を受け付けるときの制御の流れ）
以下に、図１２を参照して、数値入力画面９０において数値入力を受け付けるときの制御の流れについて説明する。なお、図１２のフローチャートのスタートは、パネル制御部１２０が表示部８２に画面を表示させるときである。
【００４８】
ステップＳ１において、パネル制御部１２０は、表示部８２に表示させる画面が数値入力画面９０であるか否かを判断する。その結果、表示画面が数値入力画面９０であれば、ステップＳ２に移行し、表示画面が数値入力画面９０でなければ、数値入力の受け付けを行わせない。ステップＳ２に移行すると、パネル制御部１２０は、数値入力画面９０内に現時点で表示すべき数値を取得する。この時点で数値入力画面９０内に表示すべき数値というのは、従前に入力された数値、数値入力範囲の最小値、数値入力範囲の最大値、および、デフォルト値などの数値であり、たとえば、記憶部１２２に記憶される。そして、ステップＳ３において、パネル制御部１２０は、数値入力画面９０を表示部８２に表示させる。このとき、表示部８２は、パネル制御部１２０が取得した数値を表示数値とする。
【００４９】
続いて、ステップＳ４において、パネル制御部１２０は、タッチパネル部８３に対して数値増加操作が行われたか否かを判断する。その結果、数値増加操作が行われていれば、ステップＳ５に移行する。ステップＳ５に移行すると、パネル制御部１２０は、第１表示モードでの表示を表示部８２に行わせる。その後、ステップＳ６において、パネル制御部１２０は、第１表示モードでの表示を終了させたか否かを判断する。その結果、第１表示モードでの表示を終了させていれば、ステップＳ４に移行し、第１表示モードでの表示を終了させていなければ、ステップＳ５に移行する。
【００５０】
また、ステップＳ４において、数値増加操作が行われていない場合には、ステップＳ７に移行する。ステップＳ７に移行すると、パネル制御部１２０は、タッチパネル部８３に対して数値減少操作が行われたか否かを判断する。その結果、数値減少操作が行われていれば、ステップＳ８に移行する。ステップＳ８に移行すると、パネル制御部１２０は、第２表示モードでの表示を表示部８２に行わせる。その後、ステップＳ９において、パネル制御部１２０は、第２表示モードでの表示を終了させたか否かを判断する。その結果、第２表示モードでの表示を終了させていれば、ステップＳ４に移行し、第２表示モードでの表示を終了させていなければ、ステップＳ８に移行する。
【００５１】
また、ステップＳ７において、数値減少操作が行われていない場合には、ステップＳ１０に移行する。ステップＳ１０に移行すると、パネル制御部１２０は、数値増減ボタンＮＢに対する操作が行われたか否かを判断する。その結果、数値増減ボタンＮＢに対する操作が行われていれば、ステップＳ１１に移行する。ステップＳ１１に移行すると、パネル制御部１２０は、数値入力ボタンＮＢに対する操作に基づき、表示数値を増減させる。そして、ステップＳ４に移行する。
【００５２】
また、ステップＳ１０において、数値増減ボタンＮＢに対する操作が行われていない場合には、ステップＳ１２に移行する。ステップＳ１２に移行すると、パネル制御部１２０は、タッチパネル部８３に対して確定操作が行われたか否かを判断する。なお、確定操作というのは、現時点の表示数値を確定するための操作であり、たとえば、数値入力画面９０内に配された確定ボタンＢ（図４〜図１１参照）をタップする操作である。パネル制御部１２０は、タッチパネル部８３に対して確定操作が行われたか否かを判断した結果、確定操作が行われていれば、数値入力画面９０での数値入力の受け付けを終了させ、確定操作が行われていなければ、ステップＳ４に移行する。
【００５３】
次に、図１３を参照して、図１２のフローチャートのステップＳ５において行われる第１表示モードでの表示処理について詳細に説明する。なお、図１３のフローチャートは、数値増加操作が行われたときにスタートする。
【００５４】
ステップＳ２１において、パネル制御部１２０は、現時点の表示数値に所定値を加算した数値を求め、その求めた数値を記憶部１２２に記憶させる。続いて、ステップＳ２２において、パネル制御部１２０は、現時点の表示数値に所定値を加算した数値（新たな表示数値）を表示部８２に表示させる。そして、ステップＳ２３において、パネル制御部１２０は、新たな表示数値を表示部８２に表示させてから所定時間が経過したか否かを判断する。ここでは、表示数値を増減させるときの時間間隔が長時間間隔に設定されていれば、その長時間間隔に相当する時間が所定時間となり、表示数値を増減させるときの時間間隔が短時間間隔に設定されていれば、その短時間間隔に相当する時間が所定時間となる。その結果、所定時間が経過していれば、ステップＳ２１に移行し、所定時間が経過していなければ、ステップＳ２４に移行する。
【００５５】
ステップＳ２４に移行すると、パネル制御部１２０は、タッチパネル部８３に対して増減停止操作が行われたか否かを判断する。その結果、増減停止操作が行われていれば、ステップＳ２５に移行する。ステップＳ２５に移行すると、パネル制御部１２０は、表示数値を増減させるときの時間間隔が長時間間隔に設定されているか否かを判断する。その結果、長時間間隔に設定されていれば、ステップＳ２６に移行し、パネル制御部１２０は、第１表示モードでの表示を終了させる。
【００５６】
一方で、ステップＳ２５において、表示数値を増減させるときの時間間隔が長時間間隔に設定されていない場合（短時間間隔に設定されている場合）には、ステップＳ２７に移行する。ステップＳ２７に移行すると、パネル制御部１２０は、表示数値を増減させるときの時間間隔を短時間間隔から長時間間隔に設定変更する。すなわち、パネル制御部１２０は、タッチパネル部８３が間隔延長操作を受け付けたものとして処理する。その後、ステップＳ２８に移行する。なお、ステップＳ２４において、増減停止操作が行われていない場合にも、ステップＳ２８に移行する。
【００５７】
ステップＳ２８に移行すると、パネル制御部１２０は、タッチパネル部８３に対して数値増加操作が行われたか否かを判断する。その結果、数値増加操作が行われていれば、ステップＳ２９に移行し、パネル制御部１２０は、表示数値を増減させるときの時間間隔が長時間間隔に設定されているか否かを判断する。その結果、長時間間隔に設定されていれば、ステップＳ３０に移行する。そして、ステップＳ３０において、パネル制御部１２０は、表示数値を増減させるときの時間間隔を長時間間隔から短時間間隔に設定変更する。すなわち、パネル制御部１２０は、タッチパネル部８３が間隔短縮操作を受け付けたものとして処理する。その後、ステップＳ２３に移行する。
【００５８】
なお、ステップＳ２８において、数値増加操作が行われていない場合にも、ステップＳ２３に移行する。さらに、ステップＳ２９において、表示数値を増減させるときの時間間隔が長時間間隔に設定されていない場合（短時間間隔に設定されている場合）には、数値増加操作を無効とし、ステップＳ２３に移行する。
【００５９】
次に、図１４を参照して、図１２のフローチャートのステップＳ８において行われる第２表示モードでの表示処理について詳細に説明する。なお、図１４のフローチャートは、数値減少操作が行われたときにスタートする。
【００６０】
ステップＳ４１において、パネル制御部１２０は、現時点の表示数値から所定値を減算した数値を求め、その求めた数値を記憶部１２２に記憶させる。続いて、ステップＳ４２において、パネル制御部１２０は、現時点の表示数値から所定値を減算した数値（新たな表示数値）を表示部８２に表示させる。そして、ステップＳ４３において、パネル制御部１２０は、新たな表示数値を表示部８２に表示させてから所定時間が経過したか否かを判断する。ここでは、表示数値を増減させるときの時間間隔が長時間間隔に設定されていれば、その長時間間隔に相当する時間が所定時間となり、表示数値を増減させるときの時間間隔が短時間間隔に設定されていれば、その短時間間隔に相当する時間が所定時間となる。その結果、所定時間が経過していれば、ステップＳ４１に移行し、所定時間が経過していなければ、ステップＳ４４に移行する。
【００６１】
ステップＳ４４に移行すると、パネル制御部１２０は、タッチパネル部８３に対して増減停止操作が行われたか否かを判断する。その結果、増減停止操作が行われていれば、ステップＳ４５に移行する。ステップＳ４５に移行すると、パネル制御部１２０は、表示数値を増減させるときの時間間隔が長時間間隔に設定されているか否かを判断する。その結果、長時間間隔に設定されていれば、ステップＳ４６に移行し、パネル制御部１２０は、第２表示モードでの表示を終了させる。
【００６２】
一方で、ステップＳ４５において、表示数値を増減させるときの時間間隔が長時間間隔に設定されていない場合（短時間間隔に設定されている場合）には、ステップＳ４７に移行する。ステップＳ４７に移行すると、パネル制御部１２０は、表示数値を増減させるときの時間間隔を短時間間隔から長時間間隔に設定変更する。すなわち、パネル制御部１２０は、タッチパネル部８３が間隔延長操作を受け付けたものとして処理する。その後、ステップＳ４８に移行する。なお、ステップＳ４４において、増減停止操作が行われていない場合にも、ステップＳ４８に移行する。
【００６３】
ステップＳ４８に移行すると、パネル制御部１２０は、タッチパネル部８３に対して数値減少操作が行われたか否かを判断する。その結果、数値減少操作が行われていれば、ステップＳ４９に移行し、パネル制御部１２０は、表示数値を増減させるときの時間間隔が長時間間隔に設定されているか否かを判断する。その結果、長時間間隔に設定されていれば、ステップＳ５０に移行する。そして、ステップＳ５０において、パネル制御部１２０は、表示数値を増減させるときの時間間隔を長時間間隔から短時間間隔に設定変更する。すなわち、パネル制御部１２０は、タッチパネル部８３が間隔短縮操作を受け付けたものとして処理する。その後、ステップＳ４３に移行する。
【００６４】
なお、ステップＳ４８において、数値減少操作が行われていない場合にも、ステップＳ４３に移行する。さらに、ステップＳ４９において、表示数値を増減させるときの時間間隔が長時間間隔に設定されていない場合（短時間間隔に設定されている場合）には、数値減少操作を無効とし、ステップＳ４３に移行する。
【００６５】
本実施形態による複合機１００（画像形成装置）の操作パネル８（表示入力装置）は、数値の入力を受け付けるための数値入力画面９０を表示するとともに、その数値入力画面９０内に数値を表示する表示部８２と、表示部８２に対して設けられ、表示部８２の画面に対するタッチ操作を受け付けるタッチパネル部８３と、を備える。そして、タッチパネル部８３は、数値入力画面９０内のソフトウェアボタンが配されていない所定領域９２において、予め定められたタッチ操作である数値増加操作、数値減少操作および増減停止操作の受け付けを行う。表示部８２は、タッチパネル部８３が数値増加操作を受け付けると、数値を所定時間間隔で所定値ずつ増加させる第１表示モードでの表示を実行する一方、タッチパネル部８３が数値減少操作を受け付けると、数値を所定時間間隔で所定値ずつ減少させる第２表示モードでの表示を実行する。また、表示部８２は、第１表示モードまたは第２表示モードで表示を行う数値増減モードの実行中に、タッチパネル部８３が増減停止操作を受け付けると、数値の増減を停止し、数値増減モードを終了する。
【００６６】
本実施形態の構成では、数値増加操作を行うことにより、数値入力画面９０内の数値が所定時間間隔で所定値ずつ増加し、数値減少操作を行うことにより、数値入力画面９０内の数値が所定時間間隔で所定値ずつ減少する。また、増減停止操作を行うことにより、数値入力画面９０内の数値の増減が停止する。ここで、数値増加操作、数値減少操作および増減停止操作は、数値入力画面９０内のソフトウェアボタンが配されていない所定領域９２で受け付けられるタッチ操作である。すなわち、数値増加操作、数値減少操作および増減停止操作は、ソフトウェアボタンに対する操作（たとえば、数値を増減させるための数値増減ボタンＮＢに対する操作）ではない。したがって、この構成では、ソフトウェアボタンに対する操作を行わなくても、数値入力画面９０での数値入力が可能となる。これにより、ユーザーからすると、所望の数値を入力するときに、ソフトウェアボタンに対する操作が不要となるので、利便性が良い。特に、体の不自由なユーザー（細かい操作が困難なユーザー）の利便性が向上する。
【００６７】
また、本実施形態では、上記のように、タッチパネル部８３は、数値入力画面９０内の所定領域９２において、予め定められたタッチ操作である間隔短縮操作の受け付けを行う。そして、表示部８２は、数値増減モードの実行中に、タッチパネル部８３が間隔短縮操作を受け付けると、表示数値を増減させるときの時間間隔を現時点の時間間隔より短くする（長時間間隔から短時間間隔に設定変更する）。このように構成すれば、表示数値が所望の数値からかけ離れていても、間隔短縮操作を行うことにより、表示数値を速やかに所望の数値に近づけることができる。
【００６８】
また、本実施形態では、上記のように、タッチパネル部８３は、第１表示モードの実行中に数値増加操作が行われると、数値増加操作を間隔短縮操作として受け付け、第２表示モードの実行中に数値減少操作が行われると、数値減少操作を間隔短縮操作として受け付ける。すなわち、第１表示モードの実行中に間隔短縮操作として受け付けるタッチ操作は数値増加操作と同じであり、第２表示モードの実行中に間隔短縮操作として受け付けるタッチ操作は数値減少操作と同じである。このように構成すれば、数値入力画面９０での数値入力に関するタッチ操作の種類を減らすことができるので、ユーザーの利便性が向上する。
【００６９】
また、本実施形態では、上記のように、タッチパネル部８３は、数値入力画面９０内の所定領域９２において、予め定められたタッチ操作である間隔延長操作の受け付けを行う。そして、表示部８２は、数値増減モードの実行中に、タッチパネル部８３が間隔延長操作を受け付けると、表示数値を増減させるときの時間間隔を現時点の時間間隔より長くする（短時間間隔から長時間間隔に設定変更する）。ここで、表示数値を増減させるときの時間間隔が短いと、表示数値が所望の数値に到達しても、その表示数値（所望の数値）が直ぐに新たな表示数値に切り替わる。このため、表示数値が所望の数値に到達した時点でタイミング良く増減停止操作を行うのが困難になる。したがって、ユーザーによっては、表示数値が所望の数値に近づいたときに、表示数値を増減させるときの時間間隔を長くしたい場合がある。このようなユーザーからすると、数値増減モードの実行中に間隔延長操作（表示数値を増減させるときの時間間隔を現時点の時間間隔より長くするための操作）の受け付けが行われるようになっていると、利便性が良い。
【００７０】
また、本実施形態では、上記のように、タッチパネル部８３は、数値増減モードの実行中に増減停止操作が行われたとき、数値を増減させるときの時間間隔が短縮されていれば、増減停止操作を間隔延長操作として受け付ける。このように構成すれば、数値入力画面９０での数値入力に関するタッチ操作の種類を減らすことができるので、ユーザーの利便性が向上する。
【００７１】
また、本実施形態では、上記のように、表示部８２は、数値入力画面９０内に、表示数値を増加させるためのソフトウェアボタンである数値増加ボタンＢ１および表示数値を減少させるためのソフトウェアボタンである数値減少ボタンＢ２を配する。数値増加ボタンＢ１にはプラス記号（第１記号）が付され、数値減少ボタンＢ２にはマイナス記号が付される。そして、タッチパネル部８３は、数値入力画面９０内の所定領域９２においてプラス記号を描くようにタッチ位置を移動させるタッチ操作を数値増加操作として受け付け、数値入力画面９０内の所定領域９２においてマイナス記号を描くようにタッチ位置を移動させるタッチ操作を数値減少操作として受け付ける。このように構成すれば、数値増加操作および数値減少操作が直感的で分かり易くなる
【００７２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７３】
８  操作パネル（表示入力装置）
８２  表示部
８３  タッチパネル部
９０  数値入力画面
９２  所定領域
１００  複合機（画像形成装置）
Ｂ１  数値増加ボタン（ソフトウェアボタン）
Ｂ２  数値減少ボタン（ソフトウェアボタン）
【図１】
2015103132.tif 000003
【図３】
2015103132.tif 000004
【図４】
2015103132.tif 000005
【図５】
2015103132.tif 000006
【図６】
2015103132.tif 000007
【図１２】
2015103132.tif 000008
【図１３】
2015103132.tif 000009
【図１４】
2015103132.tif 000010
【図２】
2015103132.tif 000011
【図７】
2015103132.tif 000012
【図８】
2015103132.tif 000013
【図９】
2015103132.tif 000014
【図１０】
2015103132.tif 000015
【図１１】
2015103132.tif 000016